(57)【要約】  本発明は、音声入力を通じる端末機の制御方法を提供すること。音声を通じる端末の制御方法は、端末機がロック（Ｌｏｃｋ）されている状態で音声入力を受ける段階及び前記音声入力がプレセットされたコマンドと一致する場合、前記音声入力に対応する作動を行う段階を含む。
2015509680.tif 000002
【特許請求の範囲】
【請求項１】
音声入力を通じる端末機の制御方法であって、
端末機がロック（Ｌｏｃｋ）されている状態で音声入力を受ける段階と、
前記音声入力がプレセットされたコマンドと一致するのか判断する段階と、及び
前記音声入力がプレセットされたコマンドと一致する場合、ロック状態を解除して前記音声入力に対応する作動を行う段階と、を含む方法。
【請求項２】
前記音声入力を受ける段階は、
前記端末機のディスプレー部がオフ（ｏｆｆ）された状態で音声入力を受ける段階を含むことを特徴とする、請求項１に記載の方法。
【請求項３】
前記音声入力が前記プレセットされたコマンドと一致する場合、前記一致するプレセットされたコマンドに対応するユーザインターフェースを前記端末機のディスプレー部を通じてディスプレーする段階をさらに含むことを特徴とする、請求項１に記載の方法。
【請求項４】
前記音声入力がプレセットされたコマンドと一致するのか判断する段階は、
前記音声入力がプレセットされた写真撮影モードに転換するコマンドなのか判断する段階を含み、
前記音声入力に対応する作動を行う段階は、
前記音声入力がプレセットされた写真撮影モードに転換するコマンドの場合、写真撮影のためのユーザインターフェースをディスプレー部に表示する段階を含むことを特徴とする、請求項１に記載の方法。
【請求項５】
前記音声入力がプレセットされたコマンドと一致するのか判断する段階は、
前記音声入力が特定ユーザが設定したＷａｋｅ  ｕｐコマンドなのか判断する段階を含み、
前記音声入力に対応する作動を行う段階は、
前記音声入力が前記特定ユーザが設定したＷａｋｅ  ｕｐコマンドの場合、前記特定ユーザが設定した初期画面をディスプレー部に表示する段階を含むことを特徴とする、請求項１に記載の方法。
【請求項６】
前記音声入力がプレセットされたコマンドと一致するのか判断する段階は、
前記音声入力が特定加入者同定モジュール（Ｓｕｂｓｃｒｉｂｅｒ  Ｉｄｅｎｔｉｆｉｃａｔｉｏｎ  Ｍｏｄｕｌｅ、ＳＩＭ）ユーザが設定したＷａｋｅ  ｕｐコマンドなのか判断する段階を含み、
前記音声入力に対応する作動を行う段階は、
前記音声入力が特定ユーザが設定したＷａｋｅ  ｕｐコマンドの場合、前記特定ＳＩＭユーザに対応されるネットワークと接続し、前記特定ＳＩＭユーザが設定した初期画面をディスプレー部に表示する段階を含むことを特徴とする、請求項１に記載の制御方法。
【請求項７】
前記音声入力がプレセットされたコマンドと一致しない場合、前記音声コマンドと前記プレセットされたコマンドが一致しないことをディスプレー部に表示する段階をさらに含むことを特徴とすることを特徴とする、請求項１に記載の端末機の制御方法。
【請求項８】
前記音声入力がプレセットされたコマンドと一致するのか判断する段階は、
前記音声入力がプレセットされたメディアコンテンツ再生、スケジュール確認、ボイスメッセージ送信及びテキストメッセージ送信コマンドのいずれか１つと一致するのか判断する段階を含み、
前記音声入力に対応する作動を行う段階は、
前記音声入力がプレセットされたコマンドと一致する場合、前記一致するコマンドに対応するユーザインターフェースをディスプレー部に表示する段階を含むことを特徴とする、請求項１に記載の方法。
【請求項９】
コマンド設定のための初期音声入力を受ける段階と、及び
前記初期音声入力により行うコマンド設定が入力される段階をさらに含み、
前記プレセットされたコマンドは、前記コマンド設定入力により決定されることを特徴とする、請求項１に記載の方法。
【請求項１０】
前記初期音声入力を受ける段階は、
前記初期音声に該当する音声入力を１回以上入力受ける段階を含むことを特徴とする、請求項９に記載の方法。
【請求項１１】
前記音声入力が受信された場合、前記ディスプレー部にオン（ｏｎ）する段階をさらに含むことを特徴とする、請求項２に記載の方法。
【請求項１２】
前記プレセットされたコマンドを再設定する段階をさらに含むことを特徴とする、請求項１に記載の方法。
【請求項１３】
音声入力を通じて制御する端末機であって、
前記端末機の作動状態を表示するディスプレー部と、
前記音声入力を受けることができる音声入力部と、及び
前記端末機がロック（Ｌｏｃｋ）されている状態で前記音声入力部を通じて入力された音声入力がプレセットされたコマンドと一致するのか判断し、前記音声入力がプレセットされたコマンドと一致する場合、ロック状態を解除して前記音声入力に対応する作動を行う制御部と、を含む端末機。
【請求項１４】
前記音声入力部は、前記ディスプレー部がオフ（ｏｆｆ）された状態で音声入力を受けることを特徴とする、請求項１３に記載の端末機。
【請求項１５】
前記ディスプレー部は、前記音声入力が前記プレセットされたコマンドと一致する場合、前記一致するプレセットされたコマンドに対応するユーザインターフェースを表示することを特徴とする、請求項１３に記載の端末機。
【請求項１６】
写真及び動画中の一つ以上を撮影することができる撮影部をさらに含み、
前記制御部は、前記音声入力がプレセットされた写真撮影モードに転換するコマンドなのか判断し、前記音声入力がプレセットされた写真撮影モードに転換するコマンドの場合、前記撮影部を駆動することを特徴とする、請求項１３に記載の端末機。
【請求項１７】
前記制御部は、前記音声入力が特定ユーザが設定したＷａｋｅ  ｕｐコマンドなのか判断し、
前記ディスプレー部は前記音声入力が前記特定ユーザが設定したＷａｋｅ  ｕｐコマンドの場合、前記特定ユーザが設定した初期画面を表示することを特徴とする、請求項１３に記載の端末機。
【請求項１８】
加入者同定モジュール（Ｓｕｂｓｃｒｉｂｅｒ  Ｉｄｅｎｔｉｆｉｃａｔｉｏｎ  Ｍｏｄｕｌｅ、ＳＩＭ）によりネットワークを選択することができるネットワーク選択部をさらに含み、
前記制御部は、前記音声入力が特定ＳＩＭユーザが設定したＷａｋｅ  ｕｐコマンドなのか判断し、
前記ネットワーク選択部は、前記音声入力が前記特定ユーザが設定したＷａｋｅ  ｕｐコマンドの場合、前記特定ＳＩＭユーザに対応されるネットワークに接続することを特徴とする、請求項１３に記載の端末機。
【請求項１９】
前記ディスプレー部は、前記音声入力がプレセットされたコマンドと一致しない場合、前記音声コマンドと前記プレセットされたコマンドが一致しないことを表示することを特徴とする、請求項１３に記載の端末機。
【請求項２０】
前記制御部は、前記音声入力がプレセットされたメディアコンテンツ再生、スケジュール確認、ボイスメッセージ送信及びテキストメッセージ送信コマンドのいずれか１つと一致するのか判断し、
前記ディスプレー部は前記音声入力がプレセットされたコマンドと一致する場合、前記一致するコマンドに対応するユーザインターフェースを表示することを特徴とする、請求項１３に記載の端末機。
【請求項２１】
前記音声入力部は、コマンド設定のための初期音声入力を受け、
前記制御部は、前記初期音声入力により行うコマンド設定が入力され、
前記プレセットされたコマンドは前記コマンド設定入力により決定することを特徴とする請求項１３に記載の端末機。
【請求項２２】
前記音声入力部は、前記初期音声に該当する音声入力を１回以上入力されることを特徴とする、請求項２１に記載の端末機。
【請求項２３】
前記ディスプレー部は、前記音声入力が受信された場合、オン（Ｏｎ）されることを特徴とする、請求項１４に記載の端末機。
【請求項２４】
前記制御部は、前記プレセットされたコマンドを再設定するように前記音声入力部を制御することを特徴とする、請求項１３に記載の端末機。
【請求項２５】
少なくとも一つのプロセッサが以下段階の方法を含む作動を行うように端末を制御するコマンドを記憶する非揮発性コンピューター識別可能記憶メディアであって、
前記方法は、端末がロック（Ｌｏｃｋ）された状態で音声入力を受信する段階と、及び
前記音声入力がこのプレセットされたコマンドと対応する場合、前記音声入力に対応する作動を行う段階と、を含む記憶メディア。
【請求項２６】
前記音声入力を受信する段階は、
表示部がオフ（ｏｆｆ）された状態で前記音声入力を受信する段階を含むことを特徴とする、請求項２５に記載の記憶メディア。
【請求項２７】
前記方法は、
前記音声が入力された場合、前記音声入力に対応する画面をディスプレーする段階をさらに含むことを特徴とする、請求項２５に記載の記憶メディア。
【請求項２８】
前記音声入力に対応する作動は、写真撮影モードに前記端末を転換する作動、音声識別モードで前記端末を転換する作動、ユーザログイン作動、ネットワーク選択作動、メディアコンテンツ再生作動、スケジュール確認作動、音声メッセージ送信作動及び文字メッセージ送信作動のうちの少なくとも１つを特徴とする請求項２５に記載の記憶メディア。
【請求項２９】
前記方法は、
前記音声入力に対応する作動を設定するコマンドを受信する段階をさらに含むことを特徴とする、請求項２５に記載の記憶メディア。
【請求項３０】
前記方法は、
前記音声入力が前記プレセットしたコマンドと対応しない場合、前記音声入力が前記プレセットしたコマンドと対応しないという画面を表示部に表示することを特徴とする、請求項２９に記載の記憶メディア。
【発明の詳細な説明】
【技術分野】
【０００１】
本発明は、音声認識を通じて端末機のロック状態を解除し、ユーザがプレセットしたコマンドを通じてロック解除と共に端末機がコマンドを行うことができる方法及び装置に関する。
【背景技術】
【０００２】
過去にも音声認識を通じて端末機を制御することができる方法があった。これはユーザの音声を認識して当該音声に該当する作動を行うことを特徴とする。しかし、既存技術の場合、音声認識のためには端末機に音声を入力するモードで転換するために端末機に別途の入力が必要であった。このように音声を入力するために別途の入力が必要としたのでユーザの不便があった。
【０００３】
また、音声入力を通じるコマンドの場合も既存に設定された制限されたコマンドだけが可能であり、ユーザが望む作動を一度に行うことができない端末機及びその制御方法が提供される場合が多かった。
【０００４】
従って、ユーザ便宜性が向上する音声認識を通じて端末機を制御することができる制御方法、及びこれを行うことができる装置が要求される。
【０００５】
前記の提案された情報は、本開示の理解のための背景情報として開示される。上記の情報が本発明に関して先行技術として作用することができる場合にもこれに係る決定や主張が成り立ってはいけない。
【発明の概要】
【発明が解決しようとする課題】
【０００６】
本発明は、後述する少なくとも１つの効果を提供し、問題や非効果を解決するために提供される。これにより、本発明の一側面は、端末を制御する方法及び装置を提供することができる。
【課題を解決するための手段】
【０００７】
上述した課題又は背景技術に係る少なくとも一つの問題を解決するための実施形態が開示される。このような実施形態は後述する実施形態の特徴のうちの少なくとも一つを提供することを目的とする。従って、本発明の一実施形態は、端末機を制御する方法において、ユーザが音声入力に対応するコマンドセットを設定するようにし、一度の音声入力だけでも設定されたコマンドを一度に行うことができる端末機を制御する方法を提供する。
【０００８】
本発明の一側面によれば、音声入力を通じる端末機の制御方法は、端末機がロック（Ｌｏｃｋ）されている状態で音声入力を受ける段階と、前記音声入力がプレセットされたコマンドと一致するのか判断する段階と、及び前記音声入力がプレセットされたコマンドと一致する場合、ロック状態を解除して前記音声入力に対応する作動を行う段階と、を含む。
【０００９】
本発明の他側面によれば、音声を通じる端末の制御方法は、端末がロック状態で音声入力を受信する段階と、受信した音声入力がプレセットされたコマンドに対応するのか判断する段階と、前記音声入力がプレセットされたコマンドに対応する場合、ロック状態を解除する段階と、を含む
【００１０】
本発明の他側面によれば、音声入力を通じて制御することができる端末機は、前記端末機の作動状態を表示するディスプレー部と、前記音声入力を受けることができる音声入力部と、及び前記端末機がロック（Ｌｏｃｋ）されている状態で前記音声入力部を通じて入力された音声入力がプレセットされたコマンドと一致するのか判断し、前記音声入力がプレセットされたコマンドと一致する場合、ロック状態を解除して前記音声入力に対応する作動を行う制御部と、を含む。
【００１１】
本発明の他側面によれば、音声入力を通じて制御することができる端末は、端末の作動を表示することができるディスプレー部と、音声入力を受信することができる音声入力部と、及び前記音声入力部を通じて前記端末がロック状態で受信された音声入力がプレセットされたコマンドと対応されるのか判断し、対応される場合、対応される作動を行う制御部と、を含む。
【００１２】
本発明の一側面によれば、ユーザ生成音に対応する動作を行うためにユーザは音声以外の音（例えば、ホイッスル等）を生成することができる。
【００１３】
本発明の他側面によれば、少なくとも一つのプロセッサが以下段階の方法を含む作動を行うように端末を制御するコマンドを記憶する非揮発性コンピューター識別可能記憶メディアは、端末がロック（Ｌｏｃｋ）された状態で音声入力を受信する段階と、及び前記音声入力がプレセットされたコマンドと対応する場合、前記音声入力に対応する作動を行う段階と、を含む。
【発明の効果】
【００１４】
本発明の利点、特徴、及びそれらを達成する方法は、添付される図面と共に詳細に後述されている実施形態を参照すれば明確になる
【図面の簡単な説明】
【００１５】
【図１】本発明の実施形態による端末機の構造を示したブロック図である。
【図２】本発明の実施形態によるユーザコマンド設定方法を示したフローチャートである。
【図３】本発明の実施形態による端末機の制御方法を示したフローチャートである。
【図４】本発明の実施形態によるコマンド設定時のディスプレー部を示した図面である。
【図５】本発明の実施形態によるユーザ音声入力種類により端末機が前記音声入力に対応する作動を行う状態を示した図面である。
【図６】本発明の実施形態によるユーザ音声入力により端末機のマルチログイン作動状態を示した図面である。
【図７】本発明の実施形態によるユーザ音声入力により端末機のマルチスタンバイ作動状態を示した図面である。
【図８】本発明の実施形態による端末機の作動を示したフローチャートである。
【図９】本発明の実施形態による端末機の作動を示したフローチャートである。
【図１０】本発明の実施形態による端末機の作動を示したフローチャートである。
【発明を実施するための形態】
【００１６】
添付図面を参照して以下の説明は特許請求の範囲及びその等価物により定義された本発明の例示的な実施形態の包括的の理解を助けるために提供される。それはその理解を助けるために多様な特定詳細事項を含んでいるが、これらはただ例示的なもので見なされなければならない。従って、当業者は多様な変化及び本明細書に記載した実施形態の変形が本発明の範囲及び思想から外れなくてなることができることを認識するでしょう。また、公知機能及び構成に対する説明は明確性及び簡潔性のために省略されることができる。
【００１７】
用語及び単語は以下説明及び請求範囲に用いられる書誌は意味に限られず、ただ本発明の明確でかつ一貫性ある理解ができるように発明者によって用いられる。従って、本発明の例示的な実施例の説明だけでさらに添付された請求範囲によって定義された本発明を制限するための目的に提供されるのが当業者に明白であろう。
【００１８】
たとえ、他の図面に示しているが同一又は類似の部品は同一又は類似の図面符号によって指定されることができる。構造物、構造物の機能若しくは公知された動作の詳細な説明は、明確性及び簡潔性を及び本発明の要旨を不明瞭にすることを避けるために省略されることができる。
【００１９】
本明細書の説明、及び特許請求範囲全般にわたって、単語“含む”及び“含むがここに限定されない”を意味し、意図しない“含む”の変形の場合、他の部分、追加要素、構成要素、数字又は段階を排除しない。
【００２０】
文脈によって異なって解釈されない本明細書の詳細な説明と請求項にかけて単数は複数を含む。特に、理解されるように単数型“ａ”、“ａｎ”及び“ｔｈｅ”は文脈上の異なって明示し、不定冠詞が使用される場合、明細書念頭に理解されない限り複数の指示対象を含むだけでなく複数特異点は文脈によって他に解釈されない。従って、例えば、“オブジェクト”に対する参照は一つ以上のこのような客体に対する参照を含む。
【００２１】
本発明の特定様態、又は実施形態に係って説明された特徴、定数、特性、化合物、化学残基又はグループはそれと互換しない限り本願に記載した任意の他の様態、又は実施形態に適用可能なことに理解されなければならない。
【００２２】
また、明細書全般の表現において、一般的な“Ｙに対するＸ”の表現は（Ｙがどんな行動、活動もしくは段階で、Ｘは当該作業を行うための多く手段、活動段階を現わす）Ｙをするための手段をもってＸを表されながらこれは排他的ではない。
【００２３】
本発明の一実施形態による端末機は、携帯電話、ＰＤＡ（Ｐｅｒｓｏｎａｌ  Ｄｉｇｉｔａｌ  Ａｓｓｉｓｔａｎｔ）、ナビゲーション（ｎａｖｉｇａｔｉｏｎ）、デジタル放送受信機、ＰＭＰ（Ｐｏｒｔａｂｌｅ  Ｍｕｌｔｉｍｅｄｉａ  Ｐｌａｙｅｒ）などのような電子機器装置を言う。
【００２４】
本発明の一実施形態によれば、ユーザは音声ではない（例えば、ホイッスル等）音を生成することによって、端末を制御することができる。
【００２５】
図１は、本発明の実施形態による端末機の構造を示したブロック図である。
【００２６】
図１を参照すれば、前記端末機はユーザの入力を受けることができる入力部１１０、前記端末機の作動状態をディスプレーできるディスプレー部１２０、ユーザの入力により映像資料を撮影することができる撮影部１３０、複数のネットワークを選択して通信することができるネットワーク選択部１４０及び前記端末機の作動を制御する制御部１５０を含むことができる。
【００２７】
入力部１１０は、他の形態の入力を受けることができ、ユーザの音声入力（例えば、ホイッスル等のようなユーザにより生成されたサウンド）を受けることができる音声入力部１１２及びユーザの作動又はタッチを認識して入力を認識することができるタッチ入力部１１４のうちのいずれか１つ以上を含むことができる。
【００２８】
音声入力部１１２は、ユーザの音声（若しくは他のサウンド）を認識することができる。音声（音声以外にユーザが生成する例えば、ホイッスル等）認識は声のトーン、発音による単語及びイントネーションうちの一つ以上に基づいて差を判断することができる。  音声入力部１１２を通じて入力された音声（若しくは他のサウンド）に含まれた内容が制御部１５０へ送信されることができる。本実施形態によれば、音声が制御部１５０へ音声が送信され、制御部１５０で音声に含まれた内容を分析することができる。
【００２９】
音声入力部１１２はタッチ入力部１１４又はディスプレー部１２０がオフ（ｏｆｆ）された状態にも作動することができる。また、端末機が外部の望まない入力を受けないためにロック（ｌｏｃｋ）された状態でも音声入力部１１２は作動することができる。前記ロック状態の場合、ディスプレー部１２０はオフされた状態であればよい。実施形態によりディスプレー部１２０がオンされた状態でもタッチ入力部１１４を通じる入力はロック解除作動を除いては入力されない状態であればよい。
【００３０】
本実施形態によれば、制御部１５０を除いた端末機の構成要素がオフされた状態でも音声入力部１１２はユーザの音声入力を受けることができる。これによってユーザは端末機がロックされた状態でも別途の他の入力無しに音声入力のみを通じても端末機を制御することができる。さらに、他の構成要素がオフされた状態で音声入力部１１２のみを作動させることによって消費電力を少なくすると共に、ユーザ音声入力を受けることができる。さらに実施形態によってディスプレー部１２０がオフされた状態で音声入力部１１２を通じても音声入力が受信される場合、前記ディスプレー部１２０をオン（Ｏｎ）して受信された音声入力を表示することのような作動を行うことができる。他の実施形態によれば、端末の消耗電力を減らすためにユーザ音声入力を受信したり、これに係る部分はオン状態にあり、残り他の部分はオフ状態であればよい。
【００３１】
ディスプレー部１２０は、端末機の作動状態を表示することができる。このためにＬＣＤ、ＡＭ  ＯＬＥＤ等のディスプレー素子が使用されることができる。また、音声入力部１１２を通じて入力された音声コマンドをディスプレー部に表示することができる。前記入力された音声（若しくは他のユーザにより生成されたサウンド）がプレセットされたコマンドと対応される場合、前記コマンドを出力し、作動が進行される状況をディスプレーできる。また、入力された音声（若しくは他のユーザにより生成されたサウンド）がプレセットされたコマンドと対応しない場合、コマンドが一致しないことをディスプレーできる。
【００３２】
撮影部１３０は、映像資料を撮影することができる。撮影部１３０が撮影作動を行う間のディスプレー部１２０は撮影される映像をディスプレーできる。さらに、音声入力部１１２を通じて入力されたコマンドがプレセットされた撮影部作動コマンドと一致する場合、撮影部１３０は撮影モードで作動することができる。前記撮影モードでは入力部１１０を通じて入力されたユーザの入力により撮影部１３０が撮影した映像資料もしくはユーザが生成したサウンドに係る情報を記憶することができる。
【００３３】
ネットワーク選択部１４０は、複数のネットワークを選択することができる。実施形態によって複数のＳＩＭ（Ｓｕｂｓｃｒｉｂｅｒ  Ｉｄｅｎｔｉｆｉｃａｔｉｏｎ  Ｍｏｄｕｌｅ）を用いる端末機で駆動されることができる。また、単一ＳＩＭを用いる場合にも複数のネットワークに加入したユーザが使用することができる場合も接続されたネットワークを選択することができる。本実施形態によれば、音声入力部１１２を通じて特定ネットワークを用いるコマンドが入力される場合、前記ネットワーク選択部１４０は前記特定ネットワークを用いるようにネットワークを変更し、ディスプレー部１２０に特定ネットワークを用いる事実をディスプレーできる。
【００３４】
本発明の実施形態によれば、音声入力部１１２を通じて入力されたコマンドがメディアコンテンツを再生するコマンドと一致する場合、制御部１５０は特定メディアコンテンツを再生することができる。これは制御部１５０に記憶された動画、若しくは音楽であることができ、外部から受信された動画又は音楽であることができる。
【００３５】
他の実施形態によれば、音声入力部１１２を通じて入力されたコマンドがボイス、若しくはテキストメッセージ送信の場合に、制御部１５０はユーザの入力によりボイスメッセージ若しくはテキストメッセージを送信することができる。
【００３６】
他の実施形態によれば、音声入力部１１２を通じて入力されたコマンドがスケジュール確認に該当する場合に、制御部１５０はユーザのスケジュールを確認することができる画面をディスプレー部１２０にディスプレーできる。
【００３７】
前記作動の場合、音声入力設定を通じて組み合わせて表されることができ、これに対しては後述する。
【００３８】
図２は、本発明の実施形態によるユーザコマンド設定方法を示したフローチャートである。
【００３９】
図１及び図２を参照すれば、段階２１０でコマンド設定モードを始めることができる。コマンド設定モードは入力部１１０を通じる入力を介して始まることができる。本発明の実施形態によれば、音声又はタッチ入力を通じてコマンド設定モードを始めることができる。
【００４０】
コマンド設定モードが始まると、段階２２０でユーザの音声入力を受けることができる。ユーザ音声入力は音声入力部１１２を通じて行われることができる。この時、ユーザ別で状況によって音声が変わることができるので、同じコマンドが複数回入力されることで認識の正確度を高めることができる。好ましくは、３回の入力を受けることができ、入力された音声に一貫性がない場合、追加的に入力を要求することができる。実施形態によって音声を入力する段階は、入力された音声でユーザコマンドを識別することができるまでコマンドを繰り返し入力されることができる。また、入力された音声の特性を記憶して後にユーザが相違する環境で音声を入力する場合にも前記入力された音声の特徴を把握するようにできる。また、実施形態によってコマンドの場合、３〜５単語からなることができる。なお、実施形態によれば、コマンドは句文に対応することもできる。
【００４１】
段階２３０で入力されたコマンドに対応するコマンドを選択することができる。前記コマンドの場合、端末機のロック状態解除、ディスプレー部オン、撮影モードに変更、音声認識モードに変更、ボイスメッセージ送信及びテキストメッセージ送信のうちのいずれか１つ以上であればよい。さらに、複数のユーザが用いる端末機の場合、特定ユーザアカウントでログインする作動を含むことができる。さらに、複数のＳＩＭを用いる端末機の場合、ネットワークを選択するコマンドであればよい。
【００４２】
さらに、一実施形態によれば、入力されたコマンドに対応するコマンドの場合、ユーザの設定に応じて複数の動作を順次的に進行されることができる。前記順次的に進行されるコマンドはプレセットされた特定順序に応じて進行することができ、これはユーザの設定により進行されることができる。例えば、特定音声コマンドが入力される場合、写真端末機のロック状態を解除し、撮影モードに端末機の状態を転換することができる。
【００４３】
ただ、実施形態によって段階２２０及び段階２３０の順序は変更されることができる。例えば、先ず入力されるコマンドに対応するコマンドを選択し、以後段階でコマンドで用いる音声を入力することができる。
【００４４】
コマンドとして用いる音声を成功的に入力され、入力されたコマンドに対応するコマンドが選択される場合、段階２４０で前記設定されたコマンドを再生して対応するコマンドをディスプレー部に表示することができる。設定されたコマンドは入力された音声を音で再生することができ、ディスプレー部にテキストで表示することもできる。また、設定されたコマンドの場合、コマンドの進行状態を順次に表示することができる。他の実施形態によれば、コマンドをディスプレーするときの実際該当する作動をディスプレー部に表示することができる。
【００４５】
段階２４０以後にユーザが設定したコマンドとそれに対応するコマンドが設定されたのでユーザは設定したコマンドを端末機に入力することによって端末機を制御することができる。このようにユーザがコマンドを入力することができ、コマンドに対応したコマンドを組み合わせて選択することができることを通じてユーザ操作性が向上する。実施形態によっては複数の作動をマクロ（Ｍａｃｒｏ）化して行うことができる。また、よく用いるコマンドに該当するコマンドを設定することによって操作回数を減らしながら端末機の作動を制御することができる効果がある。
【００４６】
図３は、本発明の実施形態による端末機の制御方法を示したフローチャートである。
図１及び図３を参照すれば、段階３１０で端末機はロック状態で音声コマンドが入力されたのか判断することができる。
【００４７】
これは音声入力部１１２が入力される音声を認識して判断することができる。実施形態によって端末機で音声入力部１１２及び制御部１５０だけが作動する状態で音声認識が進行されることができる。他の実施形態によれば、端末機がロックされた状態でも音声入力部１１２を通じて音声入力を受けることができる。音声コマンドが入力された場合、絶えず端末機は作動状態を維持するようになる。ユーザは前記端末機がロックされた状態でも既存に設定された音声コマンドを入力することによって別に前記端末のロック状態を解除せず、直ちに音声コマンドを前記端末機に入力するのが可能である。
【００４８】
音声コマンドが入力された場合、段階３２０で入力された音声コマンドと端末機に設定されたコマンドを比べることができる。前記設定されたコマンドはユーザが既存にコマンド設定段階を通じて設定することができる。また、実施形態によって端末機が基本的に設定されたコマンドを備えることができる。
【００４９】
段階３３０で入力された音声コマンドが設定されたコマンドと一致するのかを比べることができる。設定されたコマンドはユーザの設定によって複数個があり得、段階３３０では入力されたコマンドと複数個の設定されたコマンドを比べることができる。例えば、端末は入力された音声コマンドとプレセットされたコマンドを比べることができる。前記比較結果、入力された音声コマンドと設定されたコマンドのうちに一致することがない場合、段階３４０でディスプレー部１２０に入力コマンドが設定されたコマンドと一致しないことを表示することができる。さらに、本発明の実施形態によれば、一致しないことを表示するメッセージは音声を認識することができないという内容又は該当するコマンドがないという内容を表示することができる。ディスプレー部１２０に一致しないことを表示した後に段階３１０に戻ってユーザの音声認識が入ることを待機する。しかし、本発明の実施形態において前記段階３４０は選択的に実施されることができ、入力された音声コマンドが設定されたコマンドと一致しない場合、ディスプレー部１２０に別途のユーザインターフェースを表示せず進行することができる。
【００５０】
段階３３０で入力された音声コマンドが設定されたコマンドと一致する場合、段階３５０で一致する設定されたコマンドをディスプレー部１２０に表示することができる。さらに、前記コマンドと対応する端末機の作動をディスプレー部１２０にディスプレーできる。このようにコマンドをディスプレー部１２０に表示することによってユーザはコマンドが成功的に入力され、入力された音声コマンドによる端末機の作動を視覚的に確認することができる効果がある。実施形態によって前記音声入力により当該音声入力に対応する画面は、前記音声入力のコマンド内容又は前記コマンドに該当する端末機の作動であることができる。また、実施形態によって前記段階３５０は選択的に（ｏｐｔｉｏｎａｌ）実施されることができ、前記端末機は別途のコマンドディスプレーをしないことがある。
【００５１】
段階３６０で前記端末機はロック状態解除と共に前記設定されたコマンドに対応する作動を端末機が行うことができる。前記対応する作動はユーザがプレセットした作動であることができる。
【００５２】
このように、端末機がロックされた状態で、ユーザの音声コマンドだけで端末機の作動を制御することによってユーザ便宜性が向上する。さらに、入力された音声による作動をユーザが組み合わせることができるのでユーザ操作性が向上することができる。
【００５３】
図４に示されたディスプレー部の作動に対応する前記端末機の作動は、図８に後述する。
【００５４】
図４は、本発明の実施形態によるコマンド設定時のディスプレー部を示した図面である。
【００５５】
図４を参照すれば、４１０でユーザがウェークアップ（Ｗａｋｅ−ｕｐ）コマンドを設定する部分をタップできる。ウェークアップの場合、端末機のロック状態を解除して特定コマンドが入力されることができる状態に転換するコマンドであればよい。  このように、ユーザが設定するコマンドを予め選択してユーザの入力を受けることができる。他の実施形態によれば、ユーザの音声が入力されてここに対応するコマンドを選択することができる。
【００５６】
４２０でウェークアップコマンドを既存に初期化（Ｒｅｓｅｔ）したり、ユーザ入力により変更（ｃｈａｎｇｅ）できる。変更（ｃｈａｎｇｅ）を選択する場合、画面４３０に移る。
【００５７】
画面４３０でＴａｐ＆Ｓｐｅａｋをタップしてウェークアップコマンドに対応するコマンドを入力することができる。コマンドは例えば、３〜５単語からなることができる。また、ユーザ音声の特徴を明確にするために３回繰り返して入力を受けることができる。３回のコマンドの入力が繰り返されて音声認識が可能な場合、ウェークアップコマンドに入力したユーザ音声が対応される。
【００５８】
画面４２０で初期化を設定する場合、画面４４０に移る。本発明の実施形態によれば、ウェークアップ指示するコマンドが“Ｈｉ、Ｇａｌａｘｙ”で初期化されたことを表示してユーザが承認するか否かを問う。承認する場合、ウェークアップコマンドが“Ｈｉ  Ｇａｌａｘｙ”で初期化され、そうではない場合、さらに画面４１０に移る。
【００５９】
このように、既存の設定画面でユーザ入力を通じて音声コマンドを設定することができるのでユーザ操作性の向上する効果がある。
【００６０】
図５に示されたディスプレー部の作動に対応する前記端末機の作動は、図９に後述する。
【００６１】
図５は、実施形態によるユーザ音声入力種類により端末機が前記音声入力に対応する作動を行う状態を示した図面である。
【００６２】
図１及び図５を参照すれば、本実施形態ではユーザ設定により写真撮影モードに変更するコマンドを“Ｓｈｏｔ”とし、音声認識（Ｖｏｉｃｅ  ｔａｌｋ）モードに変更するコマンドを“Ｈｉ、Ｇａｌａｘｙ”で設定した。
【００６３】
参照番号５００のロック状態で音声入力を受信することができる。  本発明の実施形態によれば、ディスプレー部１２０がオフされた状態でもユーザ音声入力を受信することができる。入力されたコマンドが“Ｓｈｏｔ”の場合、端末機はロック状態を解除し、５１０のカメラ撮影モードに変更されることができる。さらに、本発明の実施形態によって、“Ｓｈｏｔ”が認識される場合、撮影モードに変更する以前にコマンドが成功的に認識されたことをディスプレー部１２０を通じてディスプレーした後、撮影モードに変更することができる。
【００６４】
入力されたコマンドが“Ｈｉ、Ｇａｌａｘｙ”の場合、端末機は５２０の音声認識モードに変更されることができる。このように音声のみで認識されることができるモードに変更される場合、タッチ入力が制限されるロック状態が維持された状態でディスプレー部１２０だけをオンし、当該作動が実行されることをディスプレーできる。さらに、他の実施形態によれば、ロック状態を解除して音声認識モードに進行されることができる。このように行われるコマンドでロック状態を維持することのようなことはユーザの設定により変更されることができる。
【００６５】
図６は、本発明の実施形態によるユーザ音声入力により端末機のマルチログイン作動状態を示した図面である。
【００６６】
図６を参照すれば、ロックスクリーン状態６００でユーザの入力により端末機の作動手順が変わることができる。
【００６７】
先ず、既存のタッチ入力を通じてロックスクリーン状態６００を解除する場合に対して記述する。タッチ入力を通じてロックスクリーン状態６００を解除すれば、パスワード入力６１０に移る。さらに、タッチ入力を通じてパスワード入力６１０を進行すれば複数のユーザのうちの一つのユーザを選択することができるユーザ選択画面６２０がディスプレーされる。
【００６８】
ユーザ選択画面６２０で第１ユーザ（Ｕｓｅｒ１）を選択すれば、第１ユーザの基本画面６３０がディスプレーされることができる。実施形態によって第１ユーザを選択した後、第１ユーザの基本画面６３０に移る前に第１ユーザに割り当てられたパスワードを入力する段階を追加にさらに経ることができる。
【００６９】
一方、ロックスクリーン状態６００において第１ユーザのウェークアップコマンドと設定された音声コマンドが入力される場合、別途の選択や暗号入力なしに直ちに第１ユーザの基本画面６３０に移動することができる。実施形態により第１ユーザウェークアップコマンドを設定する時には第１ユーザの音声を認識して同じ単語を他のユーザが言う場合にもユーザを識別して第１ユーザが入力しなかったことを判断することができる。このように第１ユーザが既存に設定された第１ユーザウェークアップコマンドを入力する場合、暗号入力若しくはユーザ選択等の段階を経らなく第１ユーザ基本画面６３０をディスプレーする段階に移ることができる。このような設定を通じてユーザ便宜性が向上する効果をもたらす。
【００７０】
第１ユーザの基本画面６３０には第１ユーザだけが用いることができる第１ユーザのうちのプログラムアイコン６４０及びユーザが共用で用いることができる共用プログラムアイコン６５０がディスプレーされることができる。前記プログラムアイコンをクリックしたりタップする場合、前記プログラムアイコンに該当するプログラムが実行されることができる。実施形態によって第１ユーザ用プログラムアイコン６４０は前記第１ユーザの設定によるとか前記第１ユーザの使用頻度によって決定されることができる。
【００７１】
このように、ユーザ別で基本画面で行うことができるプログラムの種類を調節することができることによってユーザ個人化が可能な特徴がある。
【００７２】
図７は、本発明の実施形態によるユーザの音声入力により端末機のマルチスタンバイ作動状態を示した図面である。
【００７３】
図７を参照すれば、マルチスタンバイ端末の場合、複数のＳＩＭチップを備えてユーザ用設定によって他のＳＩＭを用いることによって接続したネットワーク若しくはユーザアイディーを変更することができる端末機であればよい。
【００７４】
ロックスクリーン状態７００でユーザの入力により端末機の作動手順が変わることができる。
【００７５】
先ず既存のタッチ入力を通じてロックスクリーン状態７００を解除する場合に対して記述する。タッチ入力を通じてロックスクリーン状態７００を解除すれば、パスワード入力７１０に移る。さらに、タッチ入力を通じてパスワード入力７１０を進行すれば複数のＳＩＭのうちの一つのユーザを選択することができるＳＩＭ選択画面７２０がディスプレーされる。
【００７６】
ＳＩＭ選択画面７２０で第２ＳＩＭを選択すれば、第２ＳＩＭに割り当てられたネットワークと接続されて第２ＳＩＭの基本画面７３０がディスプレーされることができる。実施形態によって第２ＳＩＭを選択した後、第２ＳＩＭの基本画面７３０に移る前に第２ＳＩＭに割り当てられたパスワードを入力する段階を追加でさらに経ることができる。
【００７７】
一方、ロックスクリーン状態７００で第２ＳＩＭのウェークアップコマンドと設定された音声コマンドが入力される場合、別途の選択や暗号入力無しに直ちに第２ＳＩＭの基本画面７３０に移動することができる。
【００７８】
このように、選択的に複数のネットワークに接続することができるマルチスタンバイ端末機でもプレセットされた音声コマンドを通じて別途のタッチ入力無しにネットワークを設定することができるのでユーザ操作性の向上する特徴がある。
【００７９】
図８は、図４による端末機の作動を示したフローチャートである。
【００８０】
図４及び図８を参照すれば、段階８１０で前記端末機はユーザがＷａｋｅ  ｕｐコマンド設定を選択したのか判断することができる。実施形態によって図４に開示されたように“Ｓｅｔ  Ｗａｋｅ−ｕｐ  ｃｏｍｍａｎｄ”を選択するユーザのタッチ入力を受信することでユーザからＷａｋｅ  ｕｐコマンド設定を受信することができる。
【００８１】
もし、ユーザがＷａｋｅ−ｕｐコマンドを前記段階８１０で設定しないと判断した場合、前記端末はユーザにＷａｋｅ−ｕｐコマンドを選択することを継続的に要請することができる。一方に、ユーザが既にＷａｋｅ−ｕｐコマンドを設定した場合、端末は段階８２０へ進行することができる。
【００８２】
段階８２０で前記端末機は段階８１０の入力により前記端末機のＷａｋｅ  ｕｐコマンド設定のための画面を表示し、これによって前記ユーザが前記端末機のＷａｋｅ  ｕｐコマンドを再設定するか変更をするか否かを決定するコマンドを受信することができる。実施形態によって前記コマンドは前記ディスプレー部に再設定（Ｒｅｓｅｔ）及び変更（ｃｈａｎｇｅ）を表示することができる。前記ユーザが再設定を選択するコマンドを入力した場合、段階８３０へ、変更を選択した場合、段階８４０へ進行することができる。
【００８３】
段階８３０で前記端末機はＷａｋｅ  ｕｐコマンドを初期値で再設定できる。実施形態によって再設定前にユーザの確認を要求する４４０のようなＵＩをディスプレー部に表示することができる。前記再設定値は端末がＷａｋｅ  ｕｐコマンドで初期設定された値であることができ、実施形態で前記初期設定値は“Ｈｉ、Ｇａｌａｘｙ”である。前記ユーザは段階８３０を通じてＷａｋｅ  ｕｐコマンドを初期化できる。
【００８４】
段階８４０で前記端末機は前記ディスプレー部にコマンド変更のための画面を表示することができる。実施形態により前記変更のための画面は４３０のような画面であればよい。また実施形態によって前記変更のための画面は変更されるコマンドを入力するためのユーザインターフェースを含むことができる。前記ユーザインターフェースはＷａｋｅ  ｕｐコマンドを前記端末機が明確に受信することができるように１回以上同じ音声コマンドが入力されることができるＵＩを含むことができる。
【００８５】
段階８５０において前記端末機は前記段階８４０で受信された音声コマンドをＷａｋｅ  ｕｐコマンドに変更することができる。実施形態によって前記Ｗａｋｅ  ｕｐコマンドが変更されたという情報を含む画面をディスプレー部に表示することができる。
【００８６】
前記図８に説明した前記端末機の作動はＷａｋｅ  ｕｐコマンド以外にも前記端末がロック状態で受信してロック解除と共にユーザが設定した作動を行う他のコマンドの再設定又は変更をするためにも実行されることができる。
【００８７】
図９は、図５による本発明の実施形態による端末機の作動を示したフローチャートである。
【００８８】
図５及び図９を参照すれば、段階９１０で前記端末機はロック状態で音声コマンドが入力されたのか判断することができる。前記音声コマンドは前記端末機の音声入力部で判断することができる。実施形態で前記端末機はロック状態でディスプレー部をオフして前記音声入力部を作動することによって別途のユーザ入力を受信して前記ディスプレー部をオン  せず直ちにユーザの音声コマンドが入力されることができる。
【００８９】
音声コマンドが入力された場合、段階９１５へ進行し、音声コマンドが入力されない場合、音声コマンド入力を受信するために待機することができる。
【００９０】
段階９１５で前記端末機は前記段階９１０で入力された音声コマンドが前記端末機に設定された音声コマンドと一致するのか比べることができる。実施形態では写真撮影のための”Ｓｈｏｔ”コマンドとＷａｋｅ  ｕｐのための“Ｈｉ、ｇａｌａｘｙ”コマンドの２つのうちの一つと一致するのか比べることができる。しかし、前記端末機が比べることができるコマンドの個数はここに限定されず、前記端末機は既存に前記設定された３個以上のコマンドと比べることができる。さらに、前記写真撮影のためのコマンド又はＷａｋｅ  ｕｐコマンドは“Ｓｈｏｔ”又は“Ｈｉ、ｇａｌａｘｙ”と相違するように設定されることができる。
【００９１】
段階９１５の比較結果、前記入力された音声コマンドが“Ｓｈｏｔ”の場合、段階９２０で前記端末機はロック状態を解除して段階９２５へ進行してカメラモードで作動することができる。さらに、実施形態によって前記ユーザが前記カメラモードを終了するコマンドを入力する場合、前記カメラモードが終了した後、さらにロック状態に戻ることができる。
【００９２】
段階９１５の比較結果、前記入力された音声コマンドが“Ｈｉ、ｇａｌａｘｙ”の場合、前記端末機は段階９３０でロック状態を解除して段階９３５へ進行してＶｏｉｃｅ  ｔａｌｋモードで作動することができる。さらに、他の実施形態による場合、Ｗａｋｅ  ｕｐコマンドを受信した端末は特定ユーザの初期画面もしくは特徴ＳＩＭを用いるユーザの初期画面を表示することができる。
【００９３】
図１０は、図６又は図７のうちの一つによる本発明の実施形態による端末機の作動を示したフローチャートである。
【００９４】
図６、図７及び図１０を参照すれば、段階１００５で前記端末機はロック状態でコマンドが入力されたのか判断することができる。前記コマンドは音声コマンド及び別途の暗号入力うちの一つ以上を含むことができる。前記音声コマンドは前記端末機の音声入力部で判断することができる。前記暗号入力は前記端末機のタッチ入力部が判断することができる。実施形態で前記端末機はロック状態でディスプレー部をオフして前記音声入力部を作動することによって別途のユーザ入力を受信して前記ディスプレー部をオンせず直ちにユーザの音声コマンドが入力されることができる。また実施形態により前記端末機は前記ユーザの特定入力を通じてディスプレー部をオンして前記暗号入力を受信することができる。前記暗号入力は特定ユーザに該当する暗号及び特定ＳＩＭを用いるユーザの暗号うちの一つ以上を含むことができる。実施形態によって前記特定ユーザに該当する暗号入力の場合、図６に説明した端末機の作動のように進行することができ、前記特定ＳＩＭを用いる暗号の場合、図７に説明した端末機の作動のように進行されることができる。
【００９５】
もし、前記端末がロック状態でユーザのコマンドが入力されないと判断する場合、絶えず入力をすることをユーザに要請することができる。一方に、前記端末が段階１００５のロック状態でユーザ入力があったと判断した場合、段階１０１０へ進行することができる。
【００９６】
段階１０１０で前記端末機は前記段階１００５で入力されたコマンドがＷａｋｅ  ｕｐコマンドなのか暗号入力されたのか判断することができる。前記入力されたコマンドがＷａｋｅ  ｕｐコマンドの場合、段階１０１５へ進行し、前記入力されたコマンドが暗号入力である場合、段階１０２０へ進行することができる。
【００９７】
段階１０１５で前記端末機は前記入力されたＷａｋｅ  ｕｐコマンドに対応してロック状態を解除し、これと共に前記Ｗａｋｅ  ｕｐコマンドに対応されるユーザの初期画面を表示することができる。他の実施形態によれば、前記Ｗａｋｅ  ｕｐコマンドに対応されるＳＩＭユーザの初期画面を表示することができる。このようにＷａｋｅ  ｕｐコマンドによってロック解除と共に対応されるユーザ又はＳＩＭユーザの初期画面を表示することによってロック解除後の別途のユーザ設定が無くても直ちに当該ユーザ又はＳＩＭユーザの初期画面を表示することによってユーザ便宜性が向上することができる。本発明の実施形態によれば、前記端末機は前記Ｗａｋｅ  ｕｐコマンドに応じて初期画面ではない別途のユーザが設定した画面又は作動モードを直ちに表示することができる。
【００９８】
段階１０２０で前記端末機はユーザ選択コマンドを受信することができる。さらに、実施形態によって前記端末機は段階１０２０でＳＩＭユーザ選択コマンドを受信することができる。
【００９９】
段階１０２５において前記端末機は前記段階１０２０で選択されたユーザに対応する初期画面を表示することができる。
【０１００】
一方、本明細書と図面には本発明の好ましい実施形態に対して開示した。たとえ特定用語が用いられるが、これはただ本発明の技術内容を容易に説明して発明の理解を助けるための一般的な意味で使用されたもので、本発明の範囲を限定しようとするものではない。ここに開示された実施形態の以外にも本発明の技術的思想に基づいた他の変形形態が実施可能であるということは本発明が属する技術分野で通常の知識を有する者に自明なものである。
【符号の説明】
【０１０１】
１１０  入力部
１１２  音声入力部
１１４  タッチ入力部
１２０  ディスプレー部
１３０  撮影部
１４０  ネットワーク選択部
１５０  制御部
６００  ロックスクリーン状態
６１０  パスワード入力
６２０  ユーザ選択画面
６３０  基本画面
６３０  第１ユーザ基本画面
６４０  プログラムアイコン
６４０  第１ユーザ用プログラムアイコン
６５０  共用プログラムアイコン
７００  ロックスクリーン状態
７１０  パスワード入力
７２０  ＳＩＭ選択画面
７３０  基本画面
【図１】
2015509680.tif 000003
【図２】
2015509680.tif 000004
【図３】
2015509680.tif 000005
【図４】
2015509680.tif 000006
【図５】
2015509680.tif 000007
【図８】
2015509680.tif 000008
【図９】
2015509680.tif 000009
【図１０】
2015509680.tif 000010
【図６】
2015509680.tif 000011
【図７】
2015509680.tif 000012
【国際調査報告】
2015509680.tif 000013
2015509680.tif 000014